(57)【要約】      （修正有）【課題】ある程度広い範囲の室内で花瓶を並べたり、放置する設備を提供する。【解決手段】底板１２８を含み、前記底板１２８の下端面に電機駆動の駆動輪１２９が固定設置され、前記駆動輪１２９が地面に支え合い、前記底板１２８の上端面に支柱１１９が固定設置され、前記支柱１１９の左端面に開口が左向きの傍連結筐体１１７が固定設置され、前記傍連結筐体１１７の右端壁に外部につながる傍開き筐体１２０が連結設置され、前記傍連結筐体１１７の上端壁に駆動回転電機１１８が固定設置され、前記駆動回転電機１１８の輸出軸が前記傍連結筐体１１７の下端壁に回り係合接続され、前記駆動回転電機１１８の輸出軸のうわべに滑りブロックがねじで係合接続され、前記滑りブロックと前記傍連結筐体１１７が滑り係合接続され、本設備が連動式構造を採用し、回転と昇降を利用して、花瓶の自動化放置を実現し、効率を高め作業員の負担を軽減する。【選択図】図１
2019217239.tif 000002
【特許請求の範囲】
【請求項１】
本発明の花瓶は、底板を含み、前記底板の下端面に電機駆動の駆動輪が固定設置され、前記駆動輪が地面に支え合い、前記底板の上端面に支柱が固定設置され、前記支柱の左端面に開口が左向きの傍連結筐体が固定設置され、前記傍連結筐体の右端壁に外部につながる傍開き筐体が連結設置され、前記傍連結筐体の上端壁に駆動回転電機が固定設置され、前記駆動回転電機の輸出軸が前記傍連結筐体の下端壁に回り係合接続され、前記駆動回転電機の輸出軸のうわべに滑りブロックがねじで係合接続され、前記滑りブロックと前記傍連結筐体が滑り係合接続され、前記滑りブロックの左端面に傍連結枠が固定設置され、前記傍連結枠の中に開口が前向きの開口筐体が固定設置され、前記開口筐体の左右端壁に前後対称の滑り軸が固定設置され、前記開口筐体の左右端壁に押しシリンダーが固定設置され、前記押しシリンダーの押しハンドルの左端面に押しブロックが固定設置され、前記押しブロックと前記滑り軸が滑り係合接続され、前記押しブロックの先端面に回転盤固定設置され、前記回転盤の先端面に回転電機が固定設置され、前記回転盤の先端面に環状で設置される環溝が固定設置され、前記回転電機の輸出軸の先端面に昇降ブロックが固定設置され、前記昇降ブロックの上端面に開口が上向きの開き筐体が固定設置され、前記開き筐体の左端壁に駆動電機が固定設置され、前記駆動電機の輸出軸が前記開き筐体の右端壁に回り係合接続され、前記開き筐体の前後端壁に外部につながる滑り開き筐体が連結設置され、前記滑り開き筐体に左右対称の横ブロックが滑り設置され、前記横ブロックと前記駆動電機の輸出軸がねじで係合接続され、前記横ブロックの中に開口が上向きの開き筐体が固定設置され、前記開き筐体の中にリンクが回り設置され、前記リンクと前記トップ板が回り係合接続され、前記昇降ブロックの先端面に伸びブロックが固定設置され、前記トップ板の下端面に連結貫通ロッドが固定設置され、前記連結貫通ロッドが滑って前記伸びブロックを貫いて下へ伸び、前記連結貫通ロッドの下端面に底板が固定設置され、前記底板の中に伝動筐体が設置され、前記伝動筐体の外側に前記底ブロックに位置される環状で設置する開き筐体が設置され、前記開筐体の開口が下向きで、前記伝動筐体の下端壁に動力電機が固定設置され、前記動力電機の輸出軸の上端面に駆動かさ歯車が固定設置され、前記駆動かさ歯車の上に環状で設置する従動かさ歯車が噛み合い設置され、前記動力電機から離れる前記従動かさ歯車の端面にボルトが固定設置され、前記ボルトが回って前記伝動筐体の端壁を貫いて前記開き筐体の中に入り込み、前記開き筐体の端壁に回り係合接続され、前記開き筐体の端壁の間に上下対称の滑りロッドが固定設置され、前記ボルトのうわべに滑動ブロックがねじで係合接続され、前記滑動ブロックと前記滑動ロッドが滑り係合接続され、前記滑動ブロックの下端面に電機駆動の駆動ベルトが固定設置され、前記駆動ベルトの間に花瓶が引っかかり設置され、前記横ブロックの後ろ端面に凸台が固定設置され、凸台と前記滑り開き筐体が滑り係合接続され、前記リンクの上下端面は十字型構造であり、前記駆動ベルトのベルトが滑り止め式で、前記駆動電機の輸出軸のうわべのねじ山の方向が逆である。
【発明の詳細な説明】
【技術分野】
【０００１】
本発明は生活用品分野に関し、具体的には、花瓶に関する。
【背景技術】
【０００２】
花瓶の技術含量が割に低くて、日常生活では室内装飾に整合され、従来の花瓶を並べるや放置する時に人工的な方式が採用され、ある程度で特に広い範囲の室内で並べる効率が低くて、この設備でこの問題を解決する。
【先行技術文献】
【特許文献】
【０００３】
【特許文献１】中国特許出願公開第108113358号明細書
【発明の概要】
【発明が解決しようとする課題】
【０００４】
本発明の目的は上記の背景技術に提出された問題を解決するための花瓶を提供することにある。
【課題を解決するための手段】
【０００５】
本発明の花瓶は底板を含み、前記底板の下端面に電機駆動の駆動輪が固定設置され、前記駆動輪が地面に支え合い、前記底板の上端面に支柱が固定設置され、前記支柱の左端面に開口が左向きの傍連結筐体が固定設置され、前記傍連結筐体の右端壁に外部につながる傍開き筐体が連結設置され、前記傍連結筐体の上端壁に駆動回転電機が固定設置され、前記駆動回転電機の輸出軸が前記傍連結筐体の下端壁に回り係合接続され、前記駆動回転電機の輸出軸のうわべに滑りブロックがねじで係合接続され、前記滑りブロックと前記傍連結筐体が滑り係合接続され、前記滑りブロックの左端面に傍連結枠が固定設置され、前記傍連結枠の中に開口が前向きの開口筐体が固定設置され、前記開口筐体の左右端壁に前後対称の滑り軸が固定設置され、前記開口筐体の左右端壁に押しシリンダーが固定設置され、前記押しシリンダーの押しハンドルの左端面に押しブロックが固定設置され、前記押しブロックと前記滑り軸が滑り係合接続され、前記押しブロックの先端面に回転盤固定設置され、前記回転盤の先端面に回転電機が固定設置され、前記回転盤の先端面に環状で設置される環溝が固定設置され、前記回転電機の輸出軸の先端面に昇降ブロックが固定設置され、前記昇降ブロックの上端面に開口が上向きの開き筐体が固定設置され、前記開き筐体の左端壁に駆動電機が固定設置され、前記駆動電機の輸出軸が前記開き筐体の右端壁に回り係合接続され、前記開き筐体の前後端壁に外部につながる滑り開き筐体が連結設置され、前記滑り開き筐体に左右対称の横ブロックが滑り設置され、前記横ブロックと前記駆動電機の輸出軸がねじで係合接続され、前記横ブロックの中に開口が上向きの開き筐体が固定設置され、前記開き筐体の中にリンクが回り設置され、前記リンクと前記トップ板が回り係合接続され、前記昇降ブロックの先端面に伸びブロックが固定設置され、前記トップ板の下端面に連結貫通ロッドが固定設置され、前記連結貫通ロッドが滑って前記伸びブロックを貫いて下へ伸びる。
【０００６】
更の技術プラン、前記連結貫通ロッドの下端面に底板が固定設置され、前記底板の中に伝動筐体が設置され、前記伝動筐体の外側に前記底ブロックに位置される環状で設置する開き筐体が設置され、前記開筐体の開口が下向きで、前記伝動筐体の下端壁に動力電機が固定設置され、前記動力電機の輸出軸の上端面に駆動かさ歯車が固定設置され、前記駆動かさ歯車の上に環状で設置する従動かさ歯車が噛み合い設置され、前記動力電機から離れる前記従動かさ歯車の端面にボルトが固定設置され、前記ボルトが回って前記伝動筐体の端壁を貫いて前記開き筐体の中に入り込み、前記開き筐体の端壁に回り係合接続され、前記開き筐体の端壁の間に上下対称の滑りロッドが固定設置され、前記ボルトのうわべに滑動ブロックがねじで係合接続され、前記滑動ブロックと前記滑動ロッドが滑り係合接続され、前記滑動ブロックの下端面に電機駆動の駆動ベルトが固定設置され、前記駆動ベルトの間に花瓶が引っかかり設置される。
【０００７】
更の技術プラン、前記横ブロックの後ろ端面に凸台が固定設置され、凸台と前記滑り開き筐体が滑り係合接続される。
【０００８】
更の技術プラン、前記リンクの上下端面は十字型構造である。
【０００９】
更の技術プラン、前記駆動ベルトのベルトが滑り止め式で、前記駆動電機の輸出軸のうわべのねじ山の方向が逆である。
【発明の効果】
【００１０】
本発明の有益効果は、本発明設備が初期状態では、前記駆動回転電機、駆動電機、動力電機、駆動ベルトと駆動輪が閉める状態であり、前記構造が初期状態では初期位置に位置され、次の作業で調整を行い、設備の作業協調性を有効に高める。
【００１１】
設備が運行する時、前記駆動輪が起動され設備を指定位置に移動させ、前記駆動回転電気が起動されると、前記滑動ブロックを下に移動駆動させ、前記傍連結枠を下に向いて指定位置に移動させ、前記回転盤を下に向いて指定位置に移動させ、この時前記昇降ブロックが下に向いて指定位置に移動させ、この時前記駆動ベルトを利用して花瓶を前記駆動ベルトの間に引っかからせ、前記駆動電機が起動されると、前記横ブロックを駆動して前記連結貫通ロッドから離れて移動させ、この時、前記トップ板が下へ移動して、前記連結貫通ロッドが下に移動されると前記底板を下に移動させ、前記駆動ベルトと花瓶が支え合い、この時前記動力電機が起動されると前記駆動かさ歯車を回転駆動させ、前記駆動かさ歯車に噛み合う前記従動かさ歯車が回転すると前記ボルトを回転駆動させ、前記滑動ブロックが前記動力電機に向いて移動して、前記駆動ベルトが花瓶を前記駆動ベルトの中に引っかからせ、この時前記構造が協同作業して花瓶を指定位置に輸送して、花瓶をびつに放置する必要がある時、前記回転電機が回転すると、前記昇降ブロックを回転駆動させ、前記昇降ブロックを縦状態に回転すると、前記構造が連動して、花瓶をびつに放置させ、協同作業の方式で花瓶を効率的に運ぶのと放置することが実現される。
【００１２】
前記回転盤が左に押すと、前記押しシリンダーが起動されると前記押しブロックを左へ移動させ、前記押しブロックが前記回転盤を駆動して左に移動させ、設備の依頼性を高める。
【００１３】
本発明設備の構造が簡単で、操作も便利であり、本設備が連動式構造を採用し、回転と昇降を利用して、花瓶の自動化放置を実現し、効率を高め作業員の負担を軽減する。
【図面の簡単な説明】
【００１４】
【図１】本発明の花瓶の整体構造模式図である。
【図２】図1のA-A方向の模式図である。
【図３】図1のB方向の模式図である。
【発明を実施するための形態】
【００１５】
本発明書に開示した全ての特徴、或いは開示した全ての方法、過程中のステップは、互いに排斥する特徴或いはステップ以外に、いかなる方式で組み合わせることができる。
【００１６】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１７】
図1-3が示すように、本発明の花瓶は、底板128を含み、前記底板128の下端面に電機駆動の駆動輪129が固定設置され、前記駆動輪129が地面に支え合い、前記底板128の上端面に支柱119が固定設置され、前記支柱119の左端面に開口が左向きの傍連結筐体117が固定設置され、前記傍連結筐体117の右端壁に外部につながる傍開き筐体120が連結設置され、前記傍連結筐体117の上端壁に駆動回転電機118が固定設置され、前記駆動回転電機118の輸出軸が前記傍連結筐体117の下端壁に回り係合接続され、前記駆動回転電機118の輸出軸のうわべに滑りブロック200がねじで係合接続され、前記滑りブロック200と前記傍連結筐体117が滑り係合接続され、前記滑りブロック200の左端面に傍連結枠201が固定設置され、前記傍連結枠201の中に開口が前向きの開口筐体204が固定設置され、前記開口筐体204の左右端壁に前後対称の滑り軸203が固定設置され、前記開口筐体204の左右端壁に押しシリンダー207が固定設置され、前記押しシリンダー207の押しハンドルの左端面に押しブロック202が固定設置され、前記押しブロック202と前記滑り軸203が滑り係合接続され、前記押しブロック202の先端面に回転盤115固定設置され、前記回転盤115の先端面に回転電機206が固定設置され、前記回転盤115の先端面に環状で設置される環溝116が固定設置され、前記回転電機206の輸出軸の先端面に昇降ブロック106が固定設置され、前記昇降ブロック106の上端面に開口が上向きの開き筐体108が固定設置され、前記開き筐体108の左端壁に駆動電機107が固定設置され、前記駆動電機107の輸出軸が前記開き筐体108の右端壁に回り係合接続され、前記開き筐体108の前後端壁に外部につながる滑り開き筐体105が連結設置され、前記滑り開き筐体105に左右対称の横ブロック109が滑り設置され、前記横ブロック109と前記駆動電機107の輸出軸がねじで係合接続され、前記横ブロック109の中に開口が上向きの開き筐体110が固定設置され、前記開き筐体110の中にリンク111が回り設置され、前記リンク111と前記トップ板113が回り係合接続され、前記昇降ブロック106の先端面に伸びブロック121が固定設置され、前記トップ板113の下端面に連結貫通ロッド114が固定設置され、前記連結貫通ロッド114が滑って前記伸びブロック121を貫いて下へ伸びる。
【００１８】
有益的には、その中に、前記連結貫通ロッド114の下端面に底板122が固定設置され、前記底板122の中に伝動筐体126が設置され、前記伝動筐体126の外側に前記底ブロック122に位置される環状で設置する開き筐体104が設置され、前記開筐体104の開口が下向きで、前記伝動筐体126の下端壁に動力電機125が固定設置され、前記動力電機125の輸出軸の上端面に駆動かさ歯車124が固定設置され、前記駆動かさ歯車124の上に環状で設置する従動かさ歯車123が噛み合い設置され、前記動力電機125から離れる前記従動かさ歯車123の端面にボルト103が固定設置され、前記ボルト103が回って前記伝動筐体126の端壁を貫いて前記開き筐体104の中に入り込み、前記開き筐体104の端壁に回り係合接続され、前記開き筐体104の端壁の間に上下対称の滑りロッド102が固定設置され、前記ボルト103のうわべに滑動ブロック101がねじで係合接続され、前記滑動ブロック101と前記滑動ロッド102が滑り係合接続され、前記滑動ブロック101の下端面に電機駆動の駆動ベルト100が固定設置され、前記駆動ベルト100の間に花瓶が引っかかり設置される。
【００１９】
有益的には、その中に、前記横ブロック109の後ろ端面に凸台が固定設置され、凸台と前記滑り開き筐体105が滑り係合接続される。
【００２０】
有益的には、その中に、前記リンク111の上下端面は十字型構造である。
【００２１】
有益的には、その中に、前記駆動ベルト100のベルトが滑り止め式で、前記駆動電機107の輸出軸のうわべのねじ山の方向が逆である。  
【００２２】
本発明設備が初期状態では、前記駆動回転電機118、駆動電機107、動力電機125、駆動ベルト100と駆動輪129が閉める状態である。
【００２３】
設備が運行する時、前記駆動輪129が起動され設備を指定位置に移動させ、前記駆動回転電気118が起動されると、前記滑動ブロック200を下に移動駆動させ、前記傍連結枠201を下に向いて指定位置に移動させ、前記回転盤115を下に向いて指定位置に移動させ、この時前記昇降ブロック106が下に向いて指定位置に移動させ、この時前記駆動ベルト100を利用して花瓶を前記駆動ベルト100の間に引っかからせ、前記駆動電機107が起動されると、前記横ブロック109を駆動して前記連結貫通ロッド114から離れて移動させ、この時、前記トップ板113が下へ移動して、前記連結貫通ロッド114が下に移動されると前記底板122を下に移動させ、前記駆動ベルト100と花瓶が支え合い、この時前記動力電機125が起動されると前記駆動かさ歯車124を回転駆動させ、前記駆動かさ歯車124に噛み合う前記従動かさ歯車123が回転すると前記ボルト103を回転駆動させ、前記滑動ブロック101が前記動力電機125に向いて移動して、前記駆動ベルト100が花瓶を前記駆動ベルト100の中に引っかからせ、この時前記構造が協同作業して花瓶を指定位置に輸送して、花瓶をびつに放置する必要がある時、前記回転電機206が回転すると、前記昇降ブロック106を回転駆動させ、前記昇降ブロック106を縦状態に回転すると、前記構造が連動して、花瓶をびつに放置させる。
【００２４】
前記回転盤115が左に押すと、前記押しシリンダー207が起動されると前記押しブロック202を左へ移動させ、前記押しブロック202が前記回転盤115を駆動して左に移動させる。
【００２５】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2019217239.tif 000003
【図２】
2019217239.tif 000004
【図３】
2019217239.tif 000005
【手続補正書】
【提出日】平成31年1月26日(2019.1.26)
【手続補正１】
【補正対象書類名】特許請求の範囲
【補正対象項目名】請求項１
【補正方法】変更
【補正の内容】
【請求項１】
底板を含み、前記底板の下端面に電機駆動の駆動輪が固定設置され、前記駆動輪が地面に支え合い、前記底板の上端面に支柱が固定設置され、前記支柱の左端面に開口が左向きの傍連結筐体が固定設置され、前記傍連結筐体の右端壁に外部につながる傍開き筐体が連結設置され、前記傍連結筐体の上端壁に駆動回転電機が固定設置され、前記駆動回転電機の出力軸が前記傍連結筐体の下端壁に回転できるように係合し接続され、前記駆動回転電機の出力軸の外表面には前記傍連結筐体の中で上下にスライドできる滑りブロックがねじで係合接続され、前記滑りブロックと前記傍連結筐体が滑り係合接続され、前記滑りブロックの左端面に傍連結枠が固定設置され、前記傍連結枠の中に開口が前向きの開口筐体が固定設置され、前記開口筐体の左右端壁に前後対称の滑り軸が固定設置され、前記開口筐体の左右端壁に押しシリンダーが固定設置され、前記押しシリンダーの押しハンドルの左端面に押しブロックが固定設置され、前記押しブロックと前記滑り軸が滑り係合接続され、前記押しブロックの先端面に回転盤固定設置され、前記回転盤の先端面に回転電機が固定設置され、前記回転盤の先端面に環状で設置される環溝が固定設置され、前記回転電機の出力軸の先端面に昇降ブロックが固定設置され、前記昇降ブロックの上端面に開口が上向きの空き筐体が固定設置され、前記空き筐体の左端壁に駆動電機が固定設置され、前記駆動電機の出力軸が前記空き筐体の右端壁に回転できるように係合し接続され、前記空き筐体の前後端壁に外部につながる滑り開き筐体が連結設置され、前記滑り開き筐体に左右対称の横ブロックが滑り設置され、前記横ブロックと前記駆動電機の出力軸がねじで係合接続され、前記横ブロックの中に開口が上向きの開き溝が固定設置され、前記開き溝の中にリンクが回転できるように設置され、前記リンクの上端とトップ板が回転できるように係合し接続され、前記昇降ブロックの先端面に伸びブロックが固定設置され、前記トップ板の下端面に連結貫通ロッドが固定設置され、前記連結貫通ロッドが滑って前記伸びブロックを貫いて下へ伸び、前記連結貫通ロッドの下端面に底ブロックが固定設置され、前記底ブロックの中に伝動筐体が設置され、前記伝動筐体の外側に前記底ブロックに位置される環状で設置する開口溝が設置され、前記開口溝の開口が下向きで、前記伝動筐体の下端壁に動力電機が固定設置され、前記動力電機の出力軸の上端面に駆動かさ歯車が固定設置され、前記駆動かさ歯車の上に環状で設置する従動かさ歯車が噛み合い設置され、前記動力電機から離れる前記従動かさ歯車の端面にボルトが固定設置され、前記ボルトが回って前記伝動筐体の端壁を貫いて前記開口溝の中に入り込み、前記開口溝の端壁に回転できるように係合し接続され、前記開口溝の端壁の間に上下対称の滑りロッドが固定設置され、前記ボルトの外表面に滑動ブロックがねじで係合接続され、前記滑動ブロックと前記滑動ロッドが滑り係合接続され、前記滑動ブロックの下端面に電機駆動の駆動ベルトが固定設置され、前記駆動ベルトの間に花瓶が引っかかり設置され、前記横ブロックの後ろ端面に凸台が固定設置され、凸台と前記滑り開き筐体が滑り係合接続され、前記リンクの上下端面は十字型構造であり、前記駆動ベルトのベルトが滑り止め式で、前記駆動電機の出力軸の外表面のねじ山の方向が逆であることを特徴とする花瓶。
【手続補正２】
【補正対象書類名】明細書
【補正対象項目名】全文
【補正方法】変更
【補正の内容】
【発明の詳細な説明】
【技術分野】
【０００１】
本発明は生活用品分野に関し、具体的には、花瓶に関する。
【背景技術】
【０００２】
花瓶の技術含量が割に低くて、日常生活では室内装飾に整合され、従来の花瓶を並べるや放置する時に人工的な方式が採用され、ある程度で特に広い範囲の室内で並べる効率が低くて、この設備でこの問題を解決する。
【先行技術文献】
【特許文献】
【０００３】
【特許文献１】中国特許出願公開第108113358号明細書
【発明の概要】
【発明が解決しようとする課題】
【０００４】
本発明の目的は上記の背景技術に提出された問題を解決するための花瓶を提供することにある。
【課題を解決するための手段】
【０００５】
本発明の花瓶は底板を含み、前記底板の下端面に電機駆動の駆動輪が固定設置され、前記駆動輪が地面に支え合い、前記底板の上端面に支柱が固定設置され、前記支柱の左端面に開口が左向きの傍連結筐体が固定設置され、前記傍連結筐体の右端壁に外部につながる傍開き筐体が連結設置され、前記傍連結筐体の上端壁に駆動回転電機が固定設置され、前記駆動回転電機の出力軸が前記傍連結筐体の下端壁に回転できるように係合し接続され、前記駆動回転電機の出力軸の外表面には前記傍連結筐体の中で上下にスライドできる滑りブロックがねじで係合接続され、前記滑りブロックと前記傍連結筐体が滑り係合接続され、前記滑りブロックの左端面に傍連結枠が固定設置され、前記傍連結枠の中に開口が前向きの開口筐体が固定設置され、前記開口筐体の左右端壁に前後対称の滑り軸が固定設置され、前記開口筐体の左右端壁に押しシリンダーが固定設置され、前記押しシリンダーの押しハンドルの左端面に押しブロックが固定設置され、前記押しブロックと前記滑り軸が滑り係合接続され、前記押しブロックの先端面に回転盤固定設置され、前記回転盤の先端面に回転電機が固定設置され、前記回転盤の先端面に環状で設置される環溝が固定設置され、前記回転電機の出力軸の先端面に昇降ブロックが固定設置され、前記昇降ブロックの上端面に開口が上向きの空き筐体が固定設置され、前記空き筐体の左端壁に駆動電機が固定設置され、前記駆動電機の出力軸が前記空き筐体の右端壁に回転できるように係合し接続され、前記空き筐体の前後端壁に外部につながる滑り開き筐体が連結設置され、前記滑り開き筐体に左右対称の横ブロックが滑り設置され、前記横ブロックと前記駆動電機の出力軸がねじで係合接続され、前記横ブロックの中に開口が上向きの開き溝が固定設置され、前記開き溝の中にリンクが回転できるように設置され、前記リンクの上端とトップ板が回転できるように係合し接続され、前記昇降ブロックの先端面に伸びブロックが固定設置され、前記トップ板の下端面に連結貫通ロッドが固定設置され、前記連結貫通ロッドが滑って前記伸びブロックを貫いて下へ伸びる。
【０００６】
更の技術プラン、前記連結貫通ロッドの下端面に底ブロックが固定設置され、前記底ブロックの中に伝動筐体が設置され、前記伝動筐体の外側に前記底ブロックに位置される環状で設置する開口溝が設置され、前記開口溝の開口が下向きで、前記伝動筐体の下端壁に動力電機が固定設置され、前記動力電機の出力軸の上端面に駆動かさ歯車が固定設置され、前記駆動かさ歯車の上に環状で設置する従動かさ歯車が噛み合い設置され、前記動力電機から離れる前記従動かさ歯車の端面にボルトが固定設置され、前記ボルトが回って前記伝動筐体の端壁を貫いて前記開口溝の中に入り込み、前記開口溝の端壁に回転できるように係合し接続され、前記開口溝の端壁の間に上下対称の滑りロッドが固定設置され、前記ボルトの外表面に滑動ブロックがねじで係合接続され、前記滑動ブロックと前記滑動ロッドが滑り係合接続され、前記滑動ブロックの下端面に電機駆動の駆動ベルトが固定設置され、前記駆動ベルトの間に花瓶が引っかかり設置される。
【０００７】
更の技術プラン、前記横ブロックの後ろ端面に凸台が固定設置され、凸台と前記滑り開き筐体が滑り係合接続される。
【０００８】
更の技術プラン、前記リンクの上下端面は十字型構造である。
【０００９】
更の技術プラン、前記駆動ベルトのベルトが滑り止め式で、前記駆動電機の出力軸の外表面のねじ山の方向が逆である。
【発明の効果】
【００１０】
本発明の有益効果は、本発明設備が初期状態では、前記駆動回転電機、駆動電機、動力電機、駆動ベルトと駆動輪が閉める状態であり、前記構造が初期状態では初期位置に位置され、次の作業で調整を行い、設備の作業協調性を有効に高める。
【００１１】
設備が運行する時、前記駆動輪が起動され設備を指定位置に移動させ、前記駆動回転電気が起動されると、前記滑動ブロックを下に移動駆動させ、前記傍連結枠を下に向いて指定位置に移動させ、前記回転盤を下に向いて指定位置に移動させ、この時前記昇降ブロックが下に向いて指定位置に移動させ、この時前記駆動ベルトを利用して花瓶を前記駆動ベルトの間に引っかからせ、前記駆動電機が起動されると、前記横ブロックを駆動して前記連結貫通ロッドから離れて移動させ、この時、前記トップ板が下へ移動して、前記連結貫通ロッドが下に移動されると前記底ブロックを下に移動させ、前記駆動ベルトと花瓶が支え合い、この時前記動力電機が起動されると前記駆動かさ歯車を回転駆動させ、前記駆動かさ歯車に噛み合う前記従動かさ歯車が回転すると前記ボルトを回転駆動させ、前記滑動ブロックが前記動力電機に向いて移動して、前記駆動ベルトが花瓶を前記駆動ベルトの中に引っかからせ、この時前記構造が協同作業して花瓶を指定位置に輸送して、花瓶をびつに放置する必要がある時、前記回転電機が回転すると、前記昇降ブロックを回転駆動させ、前記昇降ブロックを縦状態に回転すると、前記構造が連動して、花瓶をびつに放置させ、協同作業の方式で花瓶を効率的に運ぶのと放置することが実現される。
【００１２】
前記回転盤が左に押すと、前記押しシリンダーが起動されると前記押しブロックを左へ移動させ、前記押しブロックが前記回転盤を駆動して左に移動させ、設備の依頼性を高める。
【００１３】
本発明設備の構造が簡単で、操作も便利であり、本設備が連動式構造を採用し、回転と昇降を利用して、花瓶の自動化放置を実現し、効率を高め作業員の負担を軽減する。
【図面の簡単な説明】
【００１４】
【図１】本発明の花瓶の整体構造模式図である。
【図２】リンクとトップ板との接続概略図である。
【図３】滑りブロックと傍連結枠との接続部分の上面図である。
【発明を実施するための形態】
【００１５】
本発明書に開示した全ての特徴、或いは開示した全ての方法、過程中のステップは、互いに排斥する特徴或いはステップ以外に、いかなる方式で組み合わせることができる。
【００１６】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１７】
図1-3が示すように、本発明の花瓶は、底板128を含み、前記底板128の下端面に電機駆動の駆動輪129が固定設置され、前記駆動輪129が地面に支え合い、前記底板128の上端面に支柱119が固定設置され、前記支柱119の左端面に開口が左向きの傍連結筐体117が固定設置され、前記傍連結筐体117の右端壁に外部につながる傍開き筐体120が連結設置され、前記傍連結筐体117の上端壁に駆動回転電機118が固定設置され、前記駆動回転電機118の出力軸が前記傍連結筐体117の下端壁に回転できるように係合し接続され、前記駆動回転電機118の出力軸の外表面には前記傍連結筐体117の中で上下にスライドできる滑りブロック200がねじで係合接続され、前記滑りブロック200と前記傍連結筐体117が滑り係合接続され、前記滑りブロック200の左端面に傍連結枠201が固定設置され、前記傍連結枠201の中に開口が前向きの開口筐体204が固定設置され、前記開口筐体204の左右端壁に前後対称の滑り軸203が固定設置され、前記開口筐体204の左右端壁に押しシリンダー207が固定設置され、前記押しシリンダー207の押しハンドルの左端面に押しブロック202が固定設置され、前記押しブロック202と前記滑り軸203が滑り係合接続され、前記押しブロック202の先端面に回転盤115固定設置され、前記回転盤115の先端面に回転電機206が固定設置され、前記回転盤115の先端面に環状で設置される環溝116が固定設置され、前記回転電機206の出力軸の先端面に昇降ブロック106が固定設置され、前記昇降ブロック106の上端面に開口が上向きの空き筐体108が固定設置され、前記空き筐体108の左端壁に駆動電機107が固定設置され、前記駆動電機107の出力軸が前記空き筐体108の右端壁に回転できるように係合し接続され、前記空き筐体108の前後端壁に外部につながる滑り開き筐体105が連結設置され、前記滑り開き筐体105に左右対称の横ブロック109が滑り設置され、前記横ブロック109と前記駆動電機107の出力軸がねじで係合接続され、前記横ブロック109の中に開口が上向きの開き溝110が固定設置され、前記開き溝110の中にリンク111が回転できるように設置され、前記リンク111の上端とトップ板113が回転できるように係合し接続され、前記昇降ブロック106の先端面に伸びブロック121が固定設置され、前記トップ板113の下端面に連結貫通ロッド114が固定設置され、前記連結貫通ロッド114が滑って前記伸びブロック121を貫いて下へ伸びる。
【００１８】
有益的には、その中に、前記連結貫通ロッド114の下端面に底ブロック122が固定設置され、前記底ブロック122の中に伝動筐体126が設置され、前記伝動筐体126の外側に前記底ブロック122に位置される環状で設置する開口溝104が設置され、前記開口溝104の開口が下向きで、前記伝動筐体126の下端壁に動力電機125が固定設置され、前記動力電機125の出力軸の上端面に駆動かさ歯車124が固定設置され、前記駆動かさ歯車124の上に環状で設置する従動かさ歯車123が噛み合い設置され、前記動力電機125から離れる前記従動かさ歯車123の端面にボルト103が固定設置され、前記ボルト103が回って前記伝動筐体126の端壁を貫いて前記開口溝104の中に入り込み、前記開口溝104の端壁に回転できるように係合し接続され、前記開口溝104の端壁の間に上下対称の滑りロッド102が固定設置され、前記ボルト103の外表面に滑動ブロック101がねじで係合接続され、前記滑動ブロック101と前記滑動ロッド102が滑り係合接続され、前記滑動ブロック101の下端面に電機駆動の駆動ベルト100が固定設置され、前記駆動ベルト100の間に花瓶が引っかかり設置される。
【００１９】
有益的には、その中に、前記横ブロック109の後ろ端面に凸台が固定設置され、凸台と前記滑り開き筐体105が滑り係合接続される。
【００２０】
有益的には、その中に、前記リンク111の上下端面は十字型構造である。
【００２１】
有益的には、その中に、前記駆動ベルト100のベルトが滑り止め式で、前記駆動電機107の出力軸の外表面のねじ山の方向が逆である。
【００２２】
本発明設備が初期状態では、前記駆動回転電機118、駆動電機107、動力電機125、駆動ベルト100と駆動輪129が閉める状態である。
【００２３】
設備が運行する時、前記駆動輪129が起動され設備を指定位置に移動させ、前記駆動回転電気118が起動されると、前記滑動ブロック200を下に移動駆動させ、前記傍連結枠201を下に向いて指定位置に移動させ、前記回転盤115を下に向いて指定位置に移動させ、この時前記昇降ブロック106が下に向いて指定位置に移動させ、この時前記駆動ベルト100を利用して花瓶を前記駆動ベルト100の間に引っかからせ、前記駆動電機107が起動されると、前記横ブロック109を駆動して前記連結貫通ロッド114から離れて移動させ、この時、前記トップ板113が下へ移動して、前記連結貫通ロッド114が下に移動されると前記底ブロック122を下に移動させ、前記駆動ベルト100と花瓶が支え合い、この時前記動力電機125が起動されると前記駆動かさ歯車124を回転駆動させ、前記駆動かさ歯車124に噛み合う前記従動かさ歯車123が回転すると前記ボルト103を回転駆動させ、前記滑動ブロック101が前記動力電機125に向いて移動して、前記駆動ベルト100が花瓶を前記駆動ベルト100の中に引っかからせ、この時前記構造が協同作業して花瓶を指定位置に輸送して、花瓶をびつに放置する必要がある時、前記回転電機206が回転すると、前記昇降ブロック106を回転駆動させ、前記昇降ブロック106を縦状態に回転すると、前記構造が連動して、花瓶をびつに放置させる。
【００２４】
前記回転盤115が左に押すと、前記押しシリンダー207が起動されると前記押しブロック202を左へ移動させ、前記押しブロック202が前記回転盤115を駆動して左に移動させる。
【００２５】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正３】
【補正対象書類名】図面
【補正対象項目名】図１
【補正方法】変更
【補正の内容】
【図１】
2019217239.tif 000006